(57)【要約】【課題】放熱性を高めて発光効率の向上、大光量化、発光範囲の拡大等を図ることができる電球型ＬＥＤランプを提供すること。【解決手段】ＬＥＤ２とＬＥＤ基板３を有するＬＥＤユニットと４、該ＬＥＤユニッ４を覆う光透過性のグローブ５と、ＬＥＤユニット４の熱を放熱する有底筒状のヒートシンク６と、ＬＥＤ２を駆動制御する点灯装置７と、口金部８ａを有する筒状の放熱ケース８を備えた電球型ＬＥＤランプ１において、ヒートシンク６の一部を外部に露出させてその内部に放熱ケース８を組み込むとともに、ヒートシンク６の底面にＬＥＤユニット４を配置し、放熱ケース８内に点灯装置７を組み込み、放熱ケース８の内面と点灯装置７間に放熱樹脂（熱伝導部材）１０を配置して点灯装置７からの熱を放熱樹脂１０を介して放熱ケース８に伝え、該放熱ケース８からの熱とＬＥＤユニット４からの熱をヒートシンク６によって外部に放熱するよう構成する。【選択図】図１
2012099375.tif 000002
【特許請求の範囲】
【請求項１】
光源であるＬＥＤとこれを実装するＬＥＤ基板を有するＬＥＤユニットと、該ＬＥＤユニットを覆う光透過性のグローブと、前記ＬＥＤユニットの熱を放熱する有底筒状のヒートシンクと、前記ＬＥＤを駆動制御する点灯装置と、電球ソケットに接続可能な口金部を有する筒状の放熱ケースを備えた電球型ＬＥＤランプにおいて、
前記ヒートシンクの一部を外部に露出させてその内部に前記放熱ケースを組み込むとともに、ヒートシンクの底面に前記ＬＥＤユニットを配置し、前記放熱ケース内に前記点灯装置を組み込み、前記放熱ケースの内面と前記点灯装置間に熱伝導部材を配置して点灯装置からの熱を前記熱伝導部材を介して放熱ケースに伝え、該放熱ケースからの熱と前記ＬＥＤユニットからの熱を前記ヒートシンクによって外部に放熱するよう構成したことを特徴とする電球型ＬＥＤランプ。
【発明の詳細な説明】
【技術分野】
【０００１】
本発明は、光源としてＬＥＤを使用した電球型ＬＥＤランプに関するものである。
【背景技術】
【０００２】
現在、蛍光灯光源と白熱電球用の口金を用いて商用ＡＣ電源によって点灯可能な照明用ランプが市販されている。このような蛍光灯を用いた電球は、従来の白熱電球に比べて寿命が長く、省電力であるという特長を有しており、ＣＯ２削減等が可能な環境対応型ランプとして現在普及が見込まれている。
【０００３】
一方、近年、光源として蛍光灯よりも更に寿命が長いＬＥＤ（発光ダイオード）を用いた電球型ＬＥＤランプが出現している。ここで、斯かる電球型ＬＥＤランプの一例を図２に示す。
【０００４】
図２は従来の電球型ＬＥＤランプの側断面図であり、この電球型ＬＥＤランプ１０１は、ＬＥＤを駆動するための点灯装置１０７を口金１１１の内部に組み込み、絶縁のために点灯装置１０７は樹脂ケース１０８によって覆われている。そして、樹脂ケース１０８は熱伝導性の高い円筒状のヒートシンク１０６によって覆われている。
【０００５】
又、ＬＥＤとこれを実装するＬＥＤ基板とで構成されるＬＥＤユニット１０４は、熱伝導性の高い円板状のヒートシンク１１２上に設置されており、ＬＥＤユニット１０４とヒートシンク１１２はその周囲が光透過性の高いドーム状のグローブ１０５によって保護されている。尚、グローブ１０５にはフロスト処理、レンズカット等の光学処理が施されており、ＬＥＤから出射する光の配光がグローブ１０５によって制御される。
【０００６】
ところで、電球型ＬＥＤランプに関して、特許文献１には、ＬＥＤユニットと点灯回路ユニット（点灯装置）とをヒートシンクと回路用ケースにそれぞれ取り付けて互いに熱結合し、ヒートシンクと回路用ケースとの間に断熱層としての間隙を形成する構成が提案されている。これによれば、点灯駆動時にＬＥＤユニットから発生する熱をヒートシンクに伝達する際、点灯回路ユニットから発生する熱の影響を受けにくく、又、点灯回路ユニットで発生した熱がヒートシンクへと伝達されにくいため、ＬＥＤユニットで発生した熱がヒートシンクへと効率良く伝達される。
【先行技術文献】
【特許文献】
【０００７】
【特許文献１】特開２０１０−１０３２４１号公報
【発明の概要】
【発明が解決しようとする課題】
【０００８】
ところが、図２に示した従来の電球型ＬＥＤランプ１０１においては、点灯装置１０７と樹脂ケース１０８及びヒートシンク１０６との間に断熱空間が形成されているため、点灯装置１０７で発生した熱の放熱性が悪いという問題がある。
【０００９】
又、特許文献１において提案された電球型ＬＥＤランプでは、ヒートシンクと回路用ケースとの間に断熱層としての間隙が形成されているために点灯回路ユニットで発生した熱のヒートシンクへの伝達が遮断され、点灯回路ユニットから回路用ケースへと伝導した熱は給電口金からしか放熱されないために放熱性が悪いという問題がある。
【００１０】
本発明は上記問題に鑑みてなされたもので、その目的とする処は、放熱性を高めて発光効率の向上、大光量化、発光範囲の拡大等を図ることができる電球型ＬＥＤランプを提供することにある。
【課題を解決するための手段】
【００１１】
上記目的を達成するため、本発明は、光源であるＬＥＤとこれを実装するＬＥＤ基板を有するＬＥＤユニットと、該ＬＥＤユニットを覆う光透過性のグローブと、前記ＬＥＤユニットの熱を放熱する有底筒状のヒートシンクと、前記ＬＥＤを駆動制御する点灯装置と、電球ソケットに接続可能な口金部を有する筒状の放熱ケースを備えた電球型ＬＥＤランプにおいて、前記ヒートシンクの一部を外部に露出させてその内部に前記放熱ケースを組み込むとともに、ヒートシンクの底面に前記ＬＥＤユニットを配置し、前記放熱ケース内に前記点灯装置を組み込み、前記放熱ケースの内面と前記点灯装置間に熱伝導部材を配置して点灯装置からの熱を前記熱伝導部材を介して放熱ケースに伝え、該放熱ケースからの熱と前記ＬＥＤユニットからの熱を前記ヒートシンクによって外部に放熱するよう構成したことを特徴とする。
【発明の効果】
【００１２】
本発明によれば、ＬＥＤユニットにおいて発生した熱はヒートシンクに直接伝導して該ヒートシンクから外部に放熱される。又、点灯装置において発生した熱は、熱伝導部材を介して放熱ケースに伝わり、該放熱ケースからヒートシンクへと伝わって該ヒートシンクから外部に放熱される。従って、ＬＥＤユニットからの熱も点灯装置からの熱も共にヒートシンクから外部に放熱されるため、ＬＥＤユニットと点灯装置の温度上昇が抑えられ、ＬＥＤの寿命と発光効率が高められる。又、当該電球型ＬＥＤランプの放熱性が高められる結果、ＬＥＤユニットの設置位置を下げて発光範囲を拡大することができるとともに、消費電力を上げて大光量化を実現することができる。
【図面の簡単な説明】
【００１３】
【図１】本発明に係る電球型ＬＥＤランプの側断面図である。
【図２】従来の電球型ＬＥＤランプの側断面図である。
【発明を実施するための形態】
【００１４】
以下に本発明の実施の形態を添付図面に基づいて説明する。
【００１５】
図１は本発明に係る電球型ＬＥＤランプの側断面図であり、図示の電球型ＬＥＤランプ１は、光源であるＬＥＤ２とこれを実装するＬＥＤ基板３を有するＬＥＤユニット４と、該ＬＥＤユニット４を覆う光透過性の高いドーム状のグローブ５と、前記ＬＥＤユニット４の熱を放熱するヒートシンク６と、前記ＬＥＤ２を駆動制御する点灯装置７と、不図示の電球ソケットに接続可能な口金部８ａを有する放熱ケース８を含んで構成されている。
【００１６】
前記ヒートシンク６は、熱伝導性の高いアルミニウムや放熱樹脂、放熱セラミック等によって二重筒状に一体成形されており、そのグローブ５内に組み込まれた有底筒状の本体部６Ａの上端部は円錐台状に成形され、この部分には前記ＬＥＤユニット４が熱伝達可能に接合した状態で設置されている。そして、ヒートシンク６の本体部６Ａの下面開口部の周縁からはグローブ５の下部外周に沿って立ち上がる円筒状の放熱部６Ｂが露出している。尚、本実施の形態では、ＬＥＤユニット４は複数のＬＥＤ２とこれらをそれぞれ実装する複数のＬＥＤ基板３によって構成されている。尚、ＬＥＤ２及びＬＥＤ基板３はそれぞれ複数でも良く、１つでも良い、又、グローブ５は光学処理が施されていない素通しのレンズでも良く、グローブ５にフロスト処理、レンズカット等の光学処理を施して各ＬＥＤ２から出射する光の配光を当該グローブ５によって制御しても良い。例えば、グローブ５は集光レンズであっても良い。
【００１７】
前記放熱ケース８は、放熱性の高い放熱セラミックや放熱樹脂によって円筒状に一体成形されており、その内部の中心には前記点灯装置７が組み込まれている。そして、この点灯装置７から上方に延びるワイヤーハーネスはヒートシンク６を貫通してＬＥＤユニット４の各ＬＥＤ基板３にそれぞれ電気的に接続されている。
【００１８】
而して、本実施の形態では、放熱ケース８の内部の点灯装置７との間の空間には、熱伝導部材として放熱性の高い放熱樹脂１０が充填されている。尚、放熱樹脂１０に代えて熱伝導性の高いアルミニウムや放熱セラミック等で構成されたブロック状の熱伝導部材を放熱ケース８内に組み込んでも良い。又、放熱ケース８は、その外周がヒートシンク６の本体部６Ａの内周に密着していても、離間して両者間に隙間が形成されていても良い。
【００１９】
そして、放熱ケース８のヒートシンク６から下方に突出する下端部外周には金属製の口金部８ａが設けられており、この口金部８ａを不図示の電球ソケットにねじ込むことによって当該電球型ＬＥＤランプ１が電球ソケットに取り付けられて照明用として使用される。
【００２０】
而して、電球型ＬＥＤランプ１が電球ソケットに取り付けられた状態で、該電球型ＬＥＤランプ１に放熱ケース８の口金部８ａから電流が供給されると、その電流は点灯装置７からワイヤーハーネス９を経てＬＥＤユニット４の各ＬＥＤ２に供給され、各ＬＥＤ２が起動されて点灯し、各ＬＥＤ２から出射する光の配光がグローブ５によって制御されて照明に供される。
【００２１】
ところで、ＬＥＤ２の発光によってＬＥＤユニット４及び点灯装置７が発熱するが、ＬＥＤユニット４において発生した熱はヒートシンク６に熱伝達可能に接合した部分から伝導して該ヒートシンク６から外部に放熱される。又、点灯装置７において発生した熱は、熱伝導部材である放熱樹脂１０を介して放熱ケース８に伝わり、該放熱ケース８から輻射と熱伝導によってヒートシンク６へと伝わって最終的に該ヒートシンク６から外部に放熱される。尚、ヒートシンク７の放熱量が十分あるため、点灯装置７で発生した熱はヒートシンク６によって十分放熱される。このため、点灯装置７で発生した熱がＬＥＤユニット４に伝わることは殆どない。
【００２２】
従って、本実施の形態に係る電球型ＬＥＤランプ１においては、ＬＥＤユニット４からの熱も点灯装置７からの熱も共にヒートシンク６から外部に放熱されるため、ＬＥＤユニット４と点灯装置７の温度上昇が抑えられ、ＬＥＤ２の寿命と発光効率が高められる。又、当該電球型ＬＥＤランプ１の放熱性が高められる結果、ＬＥＤユニット４の設置位置を下げて発光範囲を拡大することができるとともに、消費電力を上げて大光量化を実現することができる。
【符号の説明】
【００２３】
１      電球型ＬＥＤランプ
２      ＬＥＤ
３      ＬＥＤ基板
４      ＬＥＤユニット
５      グローブ
６      ヒートシンク
６Ａ    ヒートシンクの本体部
６Ｂ    ヒートシンクの放熱部
７      点灯装置
８      放熱ケース
８ａ    放熱ケースの口金部
９      ワイヤーハーネス
１０    放熱樹脂（熱伝導部材）
【図１】
2012099375.tif 000003
【図２】
2012099375.tif 000004